(57)【要約】【課題】  遊技球の動きと連動した役物装置側の演出によって遊技者に対する視覚的効果を向上させ、興趣の向上を図ることができるパチンコ遊技機を提供する。【解決手段】  遊技球が進入可能な入球口１１ｅと、該入球口１１ｅに受け入れられた遊技球を所定軌跡に沿って案内する案内経路と、該案内経路の終端に形成されて遊技球を排出する排出口１１ｉとが形成された役物装置１１を備えたパチンコ遊技機において、排出口１１ｉに開閉可能な開閉扉１１ｃを設けるとともに、該開閉扉１１ｃは、通常状態で閉状態とされ、当該排出口１１ｉから遊技球を排出する際に開状態とされるものである。【選択図】図８
2005130984.tif 000002
【特許請求の範囲】
【請求項１】
遊技球が進入可能な入球口と、該入球口に受け入れられた遊技球を所定軌跡に沿って案内する案内経路と、該案内経路の終端に形成されて遊技球を排出する排出口とが形成された役物装置を備えたパチンコ遊技機において、
前記排出口に開閉可能な開閉扉を設けるとともに、該開閉扉は、通常状態で閉状態とされ、当該排出口から遊技球を排出する際に開状態とされることを特徴とするパチンコ遊技機。
【請求項２】
前記開閉扉は、その自重により通常状態は閉状態とされるとともに、前記入球口から進入して前記排出口まで達した遊技球の重量によって開状態とされることを特徴とする請求項１記載のパチンコ遊技機。
【請求項３】
前記開閉扉には、テーパ形状が形成された開閉部が突設され、前記排出口まで達した遊技球がテーパ形状に当接することにより、当該遊技球の重量が前記開閉部を介して開閉扉を開状態とする方向に作用することを特徴とする請求項２記載のパチンコ遊技機。
【請求項４】
前記案内経路により案内された遊技球を検知する検知手段と、
該検知手段による遊技球の検知に基づき前記開閉扉を開閉駆動させる開閉駆動手段と、
を具備したことを特徴とする請求項１記載のパチンコ遊技機。
【請求項５】
前記案内経路は所定数の遊技球を停留可能とされるとともに、前記開閉駆動手段は、所定条件が成立するまで前記開閉扉を閉状態に維持し、当該所定条件が成立すると前記開閉扉を開状態まで駆動変位させることを特徴とする請求項４記載のパチンコ遊技機。
【請求項６】
前記役物装置における排出口の直下に、遊技球が入賞可能な開口を臨ませた入賞手段を配設したことを特徴とする請求項１〜請求項５のいずれか１つに記載のパチンコ遊技機。
【発明の詳細な説明】
【技術分野】
【０００１】
本発明は、役物装置を具備したパチンコ遊技機に関するものである。
【背景技術】
【０００２】
パチンコ遊技機は、通常、その遊技盤の略中央に配設された液晶画面等から成る図柄表示手段を有しており、かかる図柄表示手段は、遊技球が始動口に入賞して始動条件が成立すると、３つの図柄を変動表示させて所定時間経過した後、順次停止表示させ、それら３つの図柄が同じとなって揃った場合、所謂Ｖゾーンを有した大入賞口を所定タイミングで開閉させ、遊技者にとって有利な特別遊技状態、即ち大当たり状態とされる。この大当たり状態が発生することにより、遊技者は多数の賞球を獲得することができるのである。
【０００３】
近時においては、遊技盤の中央に図柄表示手段を囲んで配設された役物装置が提供されており、かかる役物装置内に遊技球を進入させ、当該遊技球を所定軌跡で落下させるものが例えば特許文献１等にて開示されている。ここで開示されたパチンコ遊技機における中央の役物装置（センター役物）は、内部に遊技球を進入させ得る開口部と、該開口部から進入した遊技球を流下させる流下通路と、該流下通路の終端に形成されて遊技球をその流下する勢いで跳躍させる跳躍部と、該跳躍部により跳躍した遊技球が着地する着地領域と、該着地領域の所定位置に固定されるとともに遊技球の始動口への入賞を容易たらしめる案内部とが形成されていた。
【０００４】
かかる従来のパチンコ遊技機によれば、遊技球を跳躍させるという視覚的な遊技性を付加することができるとともに、案内部に遊技球が着地すれば始動口への入賞を容易たらしめることができるので、新たな興趣を付与して遊技性を更に向上させることができる。具体的には、案内部にて案内された遊技球は、役物装置直下に配設された始動口へ向かって落下するので、当該始動口への入賞が容易とされるのである。
【特許文献１】特開２００１−２９５６９号公報
【発明の開示】
【発明が解決しようとする課題】
【０００５】
しかしながら、上記従来のパチンコ遊技機においては、役物装置内へ進入した遊技球を跳躍させて遊技者に対する視覚的効果を高めているものの、遊技球の動きと連動した役物装置側の演出による視覚的効果に欠け、遊技者に対する興趣を高めるには不十分であるという問題があった。また、役物装置内に進入した遊技球を所定の経路にて案内し、開口（排出口）から排出させるパチンコ遊技機も提案されているが、上記従来のものと同様、遊技球の動きと連動した役物装置側の演出による視覚的効果の向上を図ることができない。
【０００６】
本発明は、このような事情に鑑みてなされたもので、遊技球の動きと連動した役物装置側の演出によって遊技者に対する視覚的効果を向上させ、興趣の向上を図ることができるパチンコ遊技機を提供することにある。
【課題を解決するための手段】
【０００７】
請求項１記載の発明は、遊技球が進入可能な入球口と、該入球口に受け入れられた遊技球を所定軌跡に沿って案内する案内経路と、該案内経路の終端に形成されて遊技球を排出する排出口とが形成された役物装置を備えたパチンコ遊技機において、前記排出口に開閉可能な開閉扉を設けるとともに、該開閉扉は、通常状態で閉状態とされ、当該排出口から遊技球を排出する際に開状態とされることを特徴とする。
【０００８】
請求項２記載の発明は、請求項１記載のパチンコ遊技機において、前記開閉扉は、その自重により通常状態は閉状態とされるとともに、前記入球口から進入して前記排出口まで達した遊技球の重量によって開状態とされることを特徴とする。
【０００９】
請求項３記載の発明は、請求項２記載のパチンコ遊技機において、前記開閉扉には、テーパ形状が形成された開閉部が突設され、前記排出口まで達した遊技球がテーパ形状に当接することにより、当該遊技球の重量が前記開閉部を介して開閉扉を開状態とする方向に作用することを特徴とする。
【００１０】
請求項４記載の発明は、請求項１記載のパチンコ遊技機において、前記案内経路により案内された遊技球を検知する検知手段と、該検知手段による遊技球の検知に基づき前記開閉扉を開閉駆動させる開閉駆動手段とを具備したことを特徴とする。
【００１１】
請求項５記載の発明は、請求項４記載のパチンコ遊技機において、前記案内経路は所定数の遊技球を停留可能とされるとともに、前記開閉駆動手段は、所定条件が成立するまで前記開閉扉を閉状態に維持し、当該所定条件が成立すると前記開閉扉を開状態まで駆動変位させることを特徴とする。
【００１２】
請求項６記載の発明は、請求項１〜請求項５のいずれか１つに記載のパチンコ遊技機において、前記役物装置における排出口の直下に、遊技球が入賞可能な開口を臨ませた入賞手段を配設したことを特徴とする。
【発明の効果】
【００１３】
請求項１の発明によれば、遊技球の排出口に開閉可能な開閉扉を設けるとともに、該開閉扉が通常状態で閉状態とされ、当該排出口から遊技球を排出する際に開状態とされるので、遊技球の動きと連動した役物装置側の演出によって遊技者に対する視覚的効果を向上させ、興趣の向上を図ることができる。
【００１４】
請求項２の発明によれば、開閉扉が、その自重により通常状態は閉状態とされるとともに、排出口まで達した遊技球の重量によって開状態とされるので、当該開閉扉の構成を簡単にすることができ、製造コストが嵩んでしまうのを抑制することができ、且つ、メンテナンスを容易化することができる。
【００１５】
請求項３の発明によれば、排出口まで達した遊技球がテーパ形状に当接することにより、当該遊技球の重量が開閉部を介して開閉扉を開状態とする方向に作用するので、開閉扉をスムーズに開状態とすることができる。
【００１６】
請求項４の発明によれば、検知手段による遊技球の検知に基づき開閉駆動手段にて開閉扉を開閉動作させるので、開閉扉の開閉タイミングや開閉条件等を任意に制御することができ、更なる興趣の向上を図ることができる。
【００１７】
請求項５の発明によれば、開閉駆動手段は所定条件が成立するまで開閉扉を閉状態に維持し、当該所定条件が成立すると開閉扉を開状態まで駆動変位させるので、遊技者が興趣を抱くような形態にて、案内経路に停留した遊技球を排出口から排出させることができ、更なる興趣の向上を図ることができる。
【００１８】
請求項６の発明によれば、役物装置における排出口の直下に、遊技球が入賞可能な開口を臨ませた入賞手段を配設したので、遊技球が入球口に進入してから案内経路を経て排出口に至った後、入賞手段へ入賞するまでの過程について興趣を付与することができる。
【発明を実施するための最良の形態】
【００１９】
以下、本発明の実施形態について図面を参照しながら具体的に説明する。
第１の実施形態に係るパチンコ遊技機は、３列の図柄を変動表示又は停止表示させる図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。具体的には、図１に示すように、本パチンコ遊技機１は、ガラス板２が取り付けられた前面枠３を有しており、該ガラス板２から遊技者が遊技盤４を目視し得るよう構成されている。
【００２０】
かかる遊技盤４の遊技領域には、図柄表示手段５やチューリップから成る始動口６、大入賞口７等の各種役物が配設されるとともに、風車や複数の釘（不図示）が配設されている。このうち図柄表示手段５は、液晶表示画面から成るものであり、その画面に図柄や背景、及び演出のための各種キャラクタを表示し得るものであり、始動口６に遊技球が入賞して始動条件が成立すると、３つの図柄を所定時間変動表示させ、これら図柄が３つ同じとなって揃った状態にて停止表示されれば「大当たり」状態を発生させ得るよう構成されている。
【００２１】
そして、「大当たり」状態が発生すると、所謂Ｖゾーンを有する大入賞口７が所定時間及びタイミングで開閉し、遊技者が多数の遊技球（賞球）を獲得できるといった遊技者にとって有利な特別遊技状態が発生する。かかる大当たり状態には、次の変動表示乃至停止表示にて再び「大当たり」状態が発生し易い確率変動とすべき図柄と、通常の確率で再び「大当たり」となる通常変動すべき図柄とがある。尚、「大当たり」中においては、前面枠３や遊技盤４等に取り付けられた各種ランプやフラッシュ等が点滅或いは点灯するとともに、図柄表示手段５の画面上においてキャラクタ等による所定の演出が行われるようになっている。
【００２２】
また、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図における符号１０は、下皿を示しており、該下皿１０の近傍にはスピーカ１２が配設されて、演出のための効果音などが発せられるようになっている。ここで、遊技盤４の略中央には、図柄表示手段５を臨ませつつ役物装置１１が配設されており、その中央下部と始動口６との間には、遊技球を通過させ得る２本の釘Ｋ１、Ｋ２及びゲート１３が配設されている。
【００２３】
役物装置１１は、図２に示すように、略中央に図柄表示手段５の画面を臨ませるための開口窓１１ｆが形成されるとともに、内部に遊技球を進入させ得る入球口１１ｅが形成されている。この入球口１１ｅは、図３で示す流下通路１１ａと連通しており、当該入球口１１ｅから進入した遊技球が流下通路１１ａに沿って流下し得るよう構成されている。尚、この流下通路１１ａの終端には、上方に突出した跳躍部１１ｂが左右に一対形成されており、流下通路１１ａにより流下した遊技球が、その勢いで跳躍し得るようになっている。
【００２４】
左右何れかの跳躍部１１ｂにて跳躍した遊技球は、それらの間の着地領域１１ｇに着地するよう設定されている。この着地領域１１ｇには、同図に示すように、孔１１ｈが形成されており、該１１ｈは正面（遊技者側）に向かって配設された排出口１１ｉと連通している。また、孔１１ｈ上には、図５で示すように、その開口を塞ぐように移動部材１４が載置されており、跳躍部１１ｂにて跳躍した遊技球が移動部材１４の受入孔１４ａに入った後に排出口１１ｉから排出されるとともに、一対の凸部１１ｄにより案内されつつ役物装置１１から落下するようになっている。
【００２５】
移動部材１４には、図４に示すように、受入孔１４ａ及び板部１４ｂが形成されているとともに、当該板部１４ｂの略中央には、背面側に突出した凸条部１４ｃが当該板部１４ｂの延設方向に形成されている。また、かかる移動部材１４は、着地領域１１ｇの孔１１ｈ上に載置された際、その板部１４ｂ及び凸条部１４ｃを役物装置１１の背面側に臨ませるようになっている。そして、凸条部１４ｃには、図示しない駆動手段が接続され、移動部材１４を左右方向に常時移動させ得る構成とされている。
【００２６】
一方、排出口１１ｉには、通常閉状態とされた開閉扉１１ｃが設けられており、該開閉扉１１ｃは、排出口１１ｉから遊技球が排出される際に開状態となって当該遊技球を通過させ得るよう構成されている。更に具体的には、開閉扉１１ｃは、図６に示すように、その自重で排出口１１ｉを塞いだ状態（即ち、閉状態）とし得る一対の板状部材１１ｃａ、１１ｃｂから成り、これら板状部材１１ｃａ、１１ｃｂは、それぞれ軸Ｌ１及びＬ２を中心として左右方向に揺動自在とされている。また、板状部材１１ｃａ及び１１ｃｂの各裏面側（即ち、孔１１ｈ側）には、図７に示すように、開閉部ａ、ｂがそれぞれ突設されており、これら開閉部ａ、ｂにはテーパ形状ａ１及びｂ１が形成されている。かかるテーパ形状ａ１及びｂ１は、遊技球の大きさ（外径）に対応した傾斜角度に設定されている。
【００２７】
そして、遊技球が移動部材１４の受入孔１４ａを介して孔１１ｈに入り、排出口１１ｉに至ると、その遊技球の重量により、図８に示す如く一対の板状部材１１ｃａ及び１１ｃｂが軸Ｌ１及びＬ２を中心に揺動して開状態となり、当該排出口１１ｉから排出し得るよう構成されている。即ち、排出口１１ｉに至る遊技球は、図９に示すように、開閉部ａ、ｂのテーパ形状ａ１及びｂ１が成すＶ字形状に嵌り込み、当該遊技球の重量が各板状部材１１ｃａ、１１ｃｂの揺動方向に対する分力を生じさせるので、該分力により開閉扉１１ｃがスムーズに開状態となるのである。
【００２８】
このような構成によれば、遊技球の動きと連動した役物装置１１側の演出（開閉扉１１ｃの開閉動作による演出）によって遊技者に対する視覚的効果を向上させ、興趣の向上を図ることができるとともに、開閉扉１１ｃの構成を簡単にすることができ、製造コストが嵩んでしまうのを抑制することができ、且つ、メンテナンスを容易化することができる。更に、開閉扉１１ｃを構成する板状部材１１ｃａ、１１ｃｂのそれぞれにテーパ形状ａ１及びｂ１が形成された開閉部ａ、ｂを突設したので、遊技球の重量によってスムーズに当該開閉扉１１ｃを開状態とすることができる。尚、流下通路１１ａ、跳躍部１１ｂ、移動部材１４の受入孔１４ａ、及び孔１１ｈは、本発明の案内経路を構成しており、該案内経路の終端に排出口１１ｉが形成されて成る。
【００２９】
然るに、遊技盤４における一対の凸部１１ｄと対応した位置には、既述した２本の釘Ｋ１、Ｋ２、及びゲート１３が形成されており、開状態の開閉扉１１ｃから排出された遊技球が当該凸部１１ｄにより導かれて落下し、遊技球の始動口６への入賞を容易としている。即ち、役物装置１１における排出口１１ｉの直下に、遊技球が入賞可能な開口を臨ませた始動口６（入賞手段）を配設したので、遊技球が入球口１１ｅに進入してから案内経路を経て排出口１１ｉに至った後、入賞手段としての始動口６へ入賞するまでの過程について興趣を付与することができる。尚、一対の凸部１１ｄに代えて、遊技球を案内する溝形状等としてもよい。
【００３０】
次に、本発明に係る第２の実施形態について説明する。
本実施形態に係るパチンコ遊技機は、第１の実施形態と同様、３列の図柄を変動表示又は停止表示させる図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。具体的には、図１に示すような外観とされ、基本的構成及び動作は、第１の実施形態と同様であるため、詳細な説明を省略する。
【００３１】
また、本パチンコ遊技機内には、図１０に示すように、メイン基板１５と、図柄制御基板１６と、ランプ制御基板１７と、音声制御基板１８とが主に配設されており、これらが互いに電気的に接続されているとともに、図柄制御基板１６には図柄表示手段５が電気的に接続されている。このうちメイン基板１３は、パチンコ遊技機１全般に亘る遊技内容を制御するためのものであり、かかるメイン基板１５には、役物装置１１の孔１１ｈ内に入った遊技球を検知する検知手段としてのセンサ１９と、該センサ１９による遊技球の検知に基づき開閉扉１１ｃを開閉駆動させる開閉駆動手段としてのソレノイド２０とが電気的に接続されている。
【００３２】
即ち、センサ１９が遊技球を検知すると、検知信号をメイン基板１５に送り、該検知信号に基づきメイン基板１５がソレノイド２０を制御して開閉扉１１ｃを開閉動作させ得るよう構成されているのである。これにより、第１実施形態の如く遊技球の重量により開閉扉１１ｃを開閉動作させるものに比べ、当該開閉扉１１ｃの開閉タイミングや開閉条件等を任意に制御することができ、更なる興趣の向上を図ることができる。尚、センサ１９は、遊技球を検知し得れば、接触式のもの或いは非接触式のものの何れであってもよく、その配設箇所も案内経路を構成する何れの箇所であってもよい。また、ソレノイド２０に代えて、開閉扉１１ｃを任意に開閉動作させ得る他の駆動手段（例えばモータ等）としてもよい。
【００３３】
上記構成のパチンコ遊技機による制御として、例えば図１１に示すようなものが挙げられる。かかる制御は、まずメイン基板１５により開閉扉１１ｃが閉状態か否かを判定し（Ｓ１）、閉状態であると判定した場合、Ｓ２に進み、センサ１９が遊技球を検出しているか否かを判定する。センサ１９による遊技球の検出があると判定した場合、ソレノイド２０を駆動させて開閉扉１１ｃを開状態まで変位させる（Ｓ３）。そして、メイン基板１５により開閉扉１１ｃが開状態となった時点からの経過時間を計時するとともに、Ｓ４にて所定時間経過したか否かを判定する。ここで所定時間を経過したと判定されると、メイン基板１５からの信号によりソレノイド２０を再び駆動させ、開閉扉１１ｃを、通常状態と同様の閉状態とする（Ｓ５）。
【００３４】
また、上記制御に代えて、役物装置１１の孔１１ｈ内に所定数の遊技球を停留可能とするとともに、メイン基板１５による制御によって、ソレノイド２０が所定条件の成立まで開閉扉１１ｃを閉状態に維持し、当該所定条件が成立すると開閉扉１１ｃを開状態まで駆動変位させるようにすることができる。この場合、図１２に示すように、メイン基板１５により開閉扉１１ｃが閉状態か否かを判定し（Ｓ６）、閉状態であると判定した場合、Ｓ７に進み、所定条件が成立したか否かを判定する。かかる所定条件は、図柄表示手段５による停止図柄に基づくものとしてもよいし、孔１１ｈ内に所定数の遊技球が貯留したことを検知したものとしてもよい。
【００３５】
上記所定条件が成立したとメイン基板１５が判定すると、Ｓ８に進み、ソレノイド２０を駆動させて開閉扉１１ｃを開状態とする。そして、開閉扉１１ｃが開状態となった時点からの経過時間を計時するとともに、Ｓ９にて所定時間経過したか否かを判定する。ここで所定時間を経過したと判定されると、メイン基板５からの信号によりソレノイド２０を再び駆動させ、開閉扉１１ｃを、通常状態と同様の閉状態とする（Ｓ１０）。かかる制御によれば、遊技者が興趣を抱くような形態にて、孔１１ｈ（案内経路）内に停留した遊技球を排出口１１ｉから排出させることができ、更なる興趣の向上を図ることができる。
【００３６】
更に、上記制御に代えて、孔１１ｈ内に遊技球が停留してからの経過時間を計時するためのタイマ手段を別途具備させ、当該停留時からの所定時間の経過を待ち、開閉扉１１ｃを開状態とするようにしてもよい。具体的には、図１３に示すように、メイン基板１５により開閉扉１１ｃが閉状態か否かを判定し（Ｓ１１）、閉状態であると判定した場合、Ｓ１２に進み、センサ１９により孔１１ｈ内に遊技球が停留されたか否かを判定する。センサ１９による検知があり、遊技球の停留があると判定されると、別途のタイマ手段が作動し計時が開始され（Ｓ１３）、その計時値が設定時間に達したか否かが判定される（Ｓ１４）。計時値が設定時間に達したと判定されると、メイン基板１５によりソレノイド２０を制御して開閉扉１１ｃを開状態まで駆動させる。その後、開閉扉１１ｃが開状態となった時点から所定時間が経過したか否かが判定され（Ｓ１６）、所定時間経過したと判定されると、メイン基板５からの信号によりソレノイド２０を再び駆動させ、開閉扉１１ｃを、通常状態と同様の閉状態とする（Ｓ１７）。
【００３７】
以上、第１及び第２の実施形態について説明したが、本発明はこれに限定されるものではなく、例えば役物装置における流下通路、跳躍部を他の形状としてもよく、或いは跳躍部１１ｂや移動部材１４を廃し、単に役物装置１１の孔１１ｈから遊技球を受け入れ、開状態の開閉扉１１ｃを介して排出口１１ｉから排出するようにしてもよい。即ち、着地領域１１ｇには、遊技球を受け入れるための孔のみが形成され、その孔に入った遊技球を排出するための排出口に開閉扉（第１実施形態の如きもの、及び第２実施形態の如きものの両者を含む）を設ければ足りるのである。尚、案内経路は、上記実施形態に限定されず、入球口に受け入れられた遊技球を所定軌跡に沿って案内すれば、他の形態のものであってもよい。
【００３８】
また、開閉扉は、本実施形態の如く２枚の板状部材から成るものに限らず、例えば１枚の板状部材で排出口を塞ぎ、当該排出口から遊技球を排出する際に１枚の板状部材が移動（揺動に限らず摺動等も含む）することにより開閉扉を開状態とするようにしてもよい。更に、遊技球の重量により開状態とするものの場合、第１の実施形態の如く開閉扉に設けられた開閉部に代えて、遊技球の重量が開閉扉を開状態とする方向に作用する他の形態のものとしてもよい。
【産業上の利用可能性】
【００３９】
本発明に係るパチンコ遊技機は、役物装置に入球口、案内経路及び排出口を有するとともに、排出口に開閉可能な開閉扉を設け、該開閉扉が通常状態で閉状態とされ、排出口から遊技球を排出する際に開状態とされるものであれば、他の形態のもの（図柄表示手段を要さないものや外観形状等が異なるもの）にも適用することができる。
【図面の簡単な説明】
【００４０】
【図１】本発明の第１の実施形態（第２の実施形態も同様）に係るパチンコ遊技機を示す正面図
【図２】同パチンコ遊技機における役物装置を示す正面図
【図３】同役物装置の下部及びその近傍を示す模式図（移動部材を取り付ける前の状態）
【図４】同役物装置における移動部材を示す上面図及び背面図
【図５】同役物装置の下部及びその近傍を示す模式図（移動部材を取り付けた後の状態）
【図６】同役物装置における開閉扉の閉状態を示す斜視図
【図７】同役物装置における開閉扉の閉状態（当該役物装置の裏面側から見た状態）を示す模式図
【図８】同役物装置における開閉扉の開状態を示す斜視図
【図９】同役物装置における開閉扉の開状態（当該役物装置の裏面側から見た状態）を示す模式図
【図１０】本発明の第２の実施形態に係るパチンコ遊技機内の構成を示すブロック図
【図１１】同パチンコ遊技機による制御方法を示すフローチャート
【図１２】同パチンコ遊技機による制御方法（所定条件が成立したか否かの判定を行うもの）を示すフローチャート
【図１３】同パチンコ遊技機による制御方法（遊技球の停留時からの所定時間の経過を待ち、開閉扉を開状態とするもの）を示すフローチャート
【符号の説明】
【００４１】
１    パチンコ遊技機
２    ガラス板
３    前面枠
４    遊技盤
５    図柄表示手段
６    始動口
７    大入賞口
８    ハンドル
９    上皿
１０  下皿
１１  役物装置
１１ａ  流下通路（案内経路）
１１ｂ  跳躍部（案内経路）
１１ｃ  開閉扉
１１ｄ  凸部
１１ｅ  入球口
１１ｆ  開口窓
１１ｇ  着地領域
１１ｈ  孔（案内経路）
１１ｉ  排出口
１２  スピーカ
１３  ゲート
１４  移動部材
１４ａ  受入孔
１５  メイン基板
１６  図柄制御基板
１７  ランプ制御基板
１８  音声制御基板
１９  センサ（検知手段）
２０  ソレノイド（開閉駆動手段）
ａ、ｂ      開閉部
ａ１、ｂ１  テーパ形状
【図１】
2005130984.tif 000003
【図２】
2005130984.tif 000004
【図３】
2005130984.tif 000005
【図４】
2005130984.tif 000006
【図５】
2005130984.tif 000007
【図６】
2005130984.tif 000008
【図７】
2005130984.tif 000009
【図８】
2005130984.tif 000010
【図９】
2005130984.tif 000011
【図１０】
2005130984.tif 000012
【図１１】
2005130984.tif 000013
【図１２】
2005130984.tif 000014
【図１３】
2005130984.tif 000015